(57)【要約】【課題】封をするのに加圧や加熱等の設備が不要で、何時でもどこでも使用でき、かつ使用が容易である改ざん防止機能付き包装体を提供する。【解決手段】封をするためのフラップ１６（または重ね合せ部）を有する包装体（封筒１４）において、フラップ１６（または重ね合せ部）の内側面に、多層の改ざん防止用シート１２を貼着し、しかも該シートは両外層に感圧接着剤層でもなく、感熱接着剤層でもない粘着剤層を配置し、前記貼着は一方の粘着剤層で行うようにし、さらに中間層には剥離可能で剥離後再接着不能な弱接着層を少なくとも形成すると共に貼着しない方の粘着剤層は剥離シートで覆うように構成し、使用時に剥離シートを取り除いた後改ざん防止用シート１２の貼着部分の外側を人手等で押さえて封ができるようにした。【選択図】  図２
2005091529.tif 000002
【特許請求の範囲】
【請求項１】
包装体自体のフラップもしくは重ね合せ部を封をすることによって内部を見ることができないようにし、あるいは内部の物を取り出しできないようになし得る包装体において、前記フラップもしくは重ね合せ部の内側面のいずれか一方に複層の改ざん防止用シートが貼着され、しかも該改ざん防止用シートは両外層に感圧接着剤層でもなく、かつ感熱接着剤層でもない粘着剤層を配置し、前記貼着は一方の粘着剤層で行うようにし、さらに改ざん防止用シートの中間層には自然剥離はしないが剥離可能で剥離後再接着不能な弱接着層を少なくとも形成すると共に貼着しない方の粘着剤層は剥離シートで覆うように構成し、使用時に剥離シートを取り除いた後改ざん防止用シートの貼着部分の外側を人手等で押さえることによって封ができるようにしたことを特徴とする改ざん防止用包装体。
【請求項２】
請求項１記載の改ざん防止用包装体において、改ざん防止用シートは弱接着層が２枚の樹脂フィルムを圧着した接合面に形成され、剥離強度が剥離速度３００ｍｍ／分で７９〜１８０ｇ／２５ｍｍとし樹脂フィルムの外側に粘着剤層を形成するようにした改ざん防止用包装体。
【請求項３】
請求項２記載の改ざん防止用包装体において、改ざん防止用シートは２枚の圧着した接合面に弱接着層が形成される樹脂フィルムをポリエチレンフィルムとし、粘着剤層をアクリル系溶剤で形成するようにした改ざん防止用包装体。
【発明の詳細な説明】
【技術分野】
【０００１】
本発明は、封筒、ドキュメントケース、折り畳み式のC  Dケース等のように封をするためのフラップもしくは重ね合せ部を有する包装体に改ざん防止機能を持たせるようにした改ざん防止用包装体に関するものであり、特にフラップもしくは重ね合せ部の内面にあらかじめ改ざん防止用シートを配置しておくようにした改ざん防止用包装体に関するものである。
【背景技術】
【０００２】
近年包装体の開封された状態と未開封の状態を明確に識別して、未開封性を明示し得るようにするために、改ざん防止用シートやラベルを使用した包装体等が多く用いられている。例えば、片面に粘着剤層を有するラベルに数多くの切り込みを設け、包装体に貼着後開封しようとすると、ラベルは切り込みから破れ開封したことが分かるようにしたもの（特開２００３−１９５７６７号）、両面が感熱接着剤層または感圧接着剤層で中間層には剥離可能で剥離後は再接着不能な弱接着層を少なくとも有する多層の改ざん防止用シートを、情報を記録した２つ折りした葉書で挟み加熱または圧着して構成した隠蔽式圧着はがき（特開平６−１０６８８１号）等がある。
【０００３】
ところで、封筒、ドキュメントケース、折り畳み式のＣＤケース、その他の包装体においてもこのような改ざん防止用シート等の使用が望まれるところであるが、次のような問題点がある。すなわち、前者の手段では、ラベルは封をする箇所に外側から貼着しなければならないので、ラベルをあらかじめ包装体に貼着しておくことはできないから、包装体とは別に常に用意していなければならずその点煩わしいという問題点があり、後者の手段では、封をするに当たり改ざん防止用シートを包装体の重ね合せ部（封をすべき部分）に挟んでから加熱したり、ローラ等で加圧したり等しなければならないので設備を必要とする上に、使用場所も限定され、取り扱いも容易ではないという問題点があった。
【特許文献１】特開平６−１０６８８１号公報
【特許文献２】特開平７−１７１６５号公報
【特許文献３】特開平８−１１２９８５号公報
【特許文献４】特開平９−７６６６６号公報
【特許文献５】特開平９−１６４７８７号公報
【特許文献６】特開２００１−３０２９９７号公報
【特許文献７】特開２００３−１９５７６７号公報
【特許文献８】特許第２６４５５３５号公報
【発明の開示】
【発明が解決しようとする課題】
【０００４】
解決しようとする問題点は、封をするに際し加熱や加圧等の設備を必要とする点と、封をするに当たり包装体とは別に常に改ざん防止用ラベルを保管していなければならない点である。
【課題を解決するための手段】
【０００５】
本発明は次のように構成される。
A  包装体自体のフラップもしくは重ね合せ部を封をすることによって内部を見ることができないようにし、あるいは内部の物を取り出しできないようになし得る包装体において、前記フラップもしくは重ね合せ部の内側面のいずれか一方に複層の改ざん防止用シートが貼着され、しかも該改ざん防止用シートは両外層に感圧接着剤層でもなく、かつ感熱接着剤層でもない粘着剤層を配置し、前記貼着は一方の粘着剤層で行うようにし、さらに改ざん防止用シートの中間層には自然剥離はしないが剥離可能で剥離後再接着不能な弱接着層を少なくとも形成すると共に貼着しない方の粘着剤層は剥離シートで覆うように構成し、使用時に剥離シートを取り除いた後改ざん防止用シートの貼着部分の外側を人手等で押さえることによって封ができるようにしたことを特徴とする改ざん防止用包装体。
Ｂ  A項記載の改ざん防止用包装体において、改ざん防止用シートは弱接着層が２枚の樹脂フィルムを圧着した接合面に形成され、剥離強度が剥離速度３００ｍｍ／分で７９〜１８０ｇ／２５ｍｍとし樹脂フィルムの外側に粘着剤層を形成するようにした改ざん防止用包装体。
Ｃ   Ｂ項記載の改ざん防止用包装体において、改ざん防止用シートは２枚の圧着した接合面に弱接着層が形成される樹脂フィルムをポリエチレンフィルムとし、粘着剤層をアクリル系溶剤で形成するようにした改ざん防止用包装体。
ここに、「包装体」とは内容物を収容する部材をいい、内容物は有形物に限らず、記載することによって記録される情報等も含むものである。従って、情報の記載面を内側にして折り曲げ、封をした２つ折りの隠蔽式圧着はがき等もこれに該当する。
【発明の効果】
【０００６】
本発明の改ざん防止用包装体によれば、次の効果を奏する。
改ざん防止用シートは、両側の粘着剤層が感圧接着剤層や感熱接着剤層ではなく、手で押さえる等の低い圧力で接着できると共に特別に加熱することを要せず常温で接着できる粘着剤層であるから、包装体の重ね合せ部（封をすべき部分）に前記シールを挟んで封をする際に加圧装置や加熱装置等の設備を設けることを要しないという効果がある。従って、
封をするに要するコストを格段に安くできると共に、いつでも、どこでも時と場所を選ばず包装体の封をすることができる利点がある。また、本発明の改ざん防止用包装体は包装体の重ね合せ部（封をすべき部分）の内側にあらかじめ改ざん防止用シートを貼着（例えば、封筒のフラップ内面に同シートを貼着）してあるので、包装体とは別に改ざん防止用シート（ラベル）を常備しておかなくてもよいという利点がある。また、改ざん防止用シート上面に貼付してある剥離シートを除いてから前記重ね合せ部を外側から手等で押さえれば簡単に封をすることができ、使用が簡単容易である。
【発明を実施するための最良の形態】
【０００７】
封をするに際し加熱や加圧等の設備の設置を不要にするという目的と、封をするに当たり包装体とは別に改ざん防止用シートを常備しておかなくてもよいようにするという目的を、改ざん防止用シートは両面の粘着剤層を手で押さえる等の低い圧力で接着できると共に特別に加熱することを要せず常温で接着できる粘着剤層とすると共に、包装体の重ね合せ部（封をすべき部分）の内側にあらかじめ改ざん防止用シートを貼着し、その上面に剥離シートを貼付しておくという簡単な構成で実現した。
【実施例１】
【０００８】
図１は、本実施例に使用する一部品の模式的断面図である。図１において２，４はポリエチレンフィルムであり、両フィルム２、４が圧着され、その圧着面に弱接着層が形成されると共に、フィルム２、４の外側にアクリル系溶剤の粘着剤層６、８が形成され、粘着剤層６の外側に剥離シート１０が貼付され、これにより改ざん防止用シート１２が構成される。弱接着層は、自然剥離はしないが剥離可能で剥離後再接着不能な接着性の低い層であり、剥離強度が剥離速度３００ｍｍ／分で７９〜１８０ｇ／２５ｍｍとなるように、ポリエチレンフィルム２、４の圧着時に温度、圧力等を加減して、圧着強度が調節される。なお、改ざん防止用シートは製造時には両粘着剤層６、８の外側に剥離シート１０が貼付されているが、包装体に貼着する際には図１に示すように一方の粘着剤層８の外側の剥離シートは除かれる。
【０００９】
図２は包装体としての封筒１４のフラップ１６の内側面に改ざん防止用シート１２を貼着した改ざん防止用包装体を示すものであり、内容物を入れた後改ざん防止用シート１２の剥離シート１０を除いてからフラップ１６を折り曲げ、改ざん防止用シート１２の貼着反対側、すなわちフラップ１６の背面側から手等で封筒の本体部に押しつけると封がされることになる。もちろん、フラップ１６を折り曲げてから封をする前に剥離シート１０を除いてもよい。改ざん防止用シート１２は、両側の粘着剤層が感圧接着剤層や感熱接着剤層ではなく、手で押さえる等の低い圧力で接着できると共に特別に加熱することを要せず常温で接着できる粘着剤層であるから、封筒１４（包装体）のフラップ１６（または重ね合せ部）に前記シート１２を挟んで封をする際に加圧装置や加熱装置等の設備を設けることを要しないという効果がある。従って、封をするに要するコストを格段に安くできると共に、いつでも、どこでも時と場所を選ばず封筒（包装体）１４の封をすることができる利点がある。また、本実施例の封筒（包装体）１４はそのフラップ（重ね合せ部）１６の内側にあらかじめ改ざん防止用シート１２を貼着してあるので、封筒１４とは別に改ざん防止用シート（ラベル）を常備しておかなくてもよいという利点がある。従って、従来の改ざん防止用包装体のように、改ざん防止用シート（ラベル）を別に常備しておかなくてはいけないという煩わしさを解消できる。また、改ざん防止用シート１２上面に貼付してある剥離シート１０を除いてから前記フラップ１６を外側か ら手等で押さえれば簡単に封をすることができ、使用が簡単容易である。下記図３〜図７に示す包装体についても同様な効果がある。
【００１０】
図３は厚手の紙等で構成されたドキュメントケース（包装体）１８のフラップ２０の内側に改ざん防止用シート１２を貼着した改ざん防止用包装体を示すものであり、書類等の内容物を入れた後改ざん防止用シート１２の剥離シート１０を除いてからフラップ２０を折り曲げ、フラップ２０の背面側から手等でケース１８の本体部に押しつけると封がされることになる。  
【００１１】
図４はさらに厚手の紙等で構成された横長大型のドキュメントケース（包装体）２２のフラップ２４の内側に改ざん防止用シート１２を貼着した改ざん防止用包装体を示すものであり、例えば重要書類等の内容物を入れた後、上記同様に改ざん防止用シート１２の剥離シート１０を除いてからフラップ２４を折り曲げ、フラップ２４の背面側から手等でケース２２の本体部に押しつけると封がされることになる。  
【００１２】
図５はＣＤケース（包装体）２６の重ね合せ部２８の一端部に、改ざん防止用シート１２を貼着した改ざん防止用包装体を示すものであり、ＣＤ３０を入れた後改ざん防止用シート１２の剥離シート１０を除いてからケース２６を折り曲げ、その両面から手等で押しつけると封がされることになる。  
【００１３】
図６（イ）、（ロ）は書物等を取り囲むように配置され、かつ一端部が書物に取り付けられて構成された包装体としての書物カバー３２の重ね合せ部３６に改ざん防止用シート１２を貼着した改ざん防止用包装体を示すものであり、書物カバー３２を書物３４に巻き付けてから重ね合せ部３６を折り曲げ、改ざん防止用シート１２の剥離シート１０を除いてから書物カバー３２の他端部側に手等で押しつけると封がされることになる。同図（ロ）は封をした状態を示す。重要な書物等を保管するのに好適に使用できる。
【００１４】
図７は２つ折りした隠蔽式葉書４０の情報記載面Ｐ側の周辺に改ざん防止用シート１２およびこれと同じ構成の改ざん防止用シール４２、４４を貼着した改ざん防止用包装体（葉書）を示すものであり、改ざん防止用シートの取り付け位置は図５に示すＣＤケース２６に似ている。各改ざん防止用シート１２、４２、４４の剥離シート１０を除いてから葉書４０を折り曲げ、両面から手等で押しつけると封がされることになる。上下周辺の改ざん防止用シート４２、４４は場合によっては省略することも可能である。なお、封をした葉書の内側には有形の内容物は封入されていないがここでは、葉書の内側面に記載された情報を包装体の内容物として取り扱っている。
【００１５】
以上本発明のいくつかの実施例について説明したが、例示した封筒、ドキュメントケース、書物ケース、遮蔽式葉書等以外の包装体についても、封をするためのフラップや重ね合せ部を有する限り本発明を適用することが可能である。
【産業上の利用可能性】
【００１６】
本発明は、包装体自体を封するためのフラップや重ね合せ部を有する包装体の改ざん防止に好適に適用可能である。特にフラップや重ね合せ部の内面側にあらかじめ改ざん防止用シートが貼着されているので、包装体の封をする際封止ラベル等を別に用意していなくてもよく、また改ざん防止用シートの外層の粘着剤層は感熱接着剤層でもなく、感圧接着剤層でもないから、加熱や加圧が不要で人手で押し付ければよいので、使用する場所や時をえらばない場合には、特に好適に適用可能である。
【図面の簡単な説明】
【００１７】
【図１】本発明の実施例に使用する部品の模式的説明図である。
【図２】本発明の第１実施例を示す説明図である。
【図３】本発明の第２実施例を示す説明図である。
【図４】本発明の第３実施例を示す説明図である。
【図５】本発明の第４実施例を示す説明図である。
【図６】（イ）、（ロ）は本発明の第５実施例を示す展開斜視図と使用状態を示す正面図である。
【図７】本発明の第６実施例を示す説明図である。
【符号の説明】
【００１８】
２  ポリエチレンフィルム
４  ポリエチレンフィルム
６  粘着剤層
８  粘着剤層
１０  剥離シート
１２  改ざん防止用シート
１４  封筒（包装体） 
１６  フラップ
１８  ドキュメントケース（包装体）
２０  フラップ
２２  ドキュメントケース（包装体）
２４  フラップ
２６  ＣＤケース（包装体）
２８  重ね合せ部
４０  隠蔽式葉書（包装体）
４２  改ざん防止用シート
４４  改ざん防止用シート
【図１】
2005091529.tif 000003
【図２】
2005091529.tif 000004
【図３】
2005091529.tif 000005
【図４】
2005091529.tif 000006
【図５】
2005091529.tif 000007
【図６】
2005091529.tif 000008
【図７】
2005091529.tif 000009